(57)【要約】【課題】              棟芯材に取付固定される取付片に、鬼瓦に取付固定される鬼瓦取付具の連結片を連結ボルトによって連結することにより、鬼瓦の固定高さ調節を簡単にすると共に、鬼瓦を巴瓦に安定よく固定することができる瓦屋根の棟用鬼瓦の取付構造を提供する。【解決手段】          瓦屋根の棟部構造内に棟方向に沿った棟芯材６を支持し、該棟芯材６により棟部１を支持させると共に、棟部１の端部の鬼瓦３を鬼瓦取付具２によって棟芯材６に取付ける構造において、前記鬼瓦取付具２を、棟芯材６に取付固定する取付片５０と、鬼瓦３の取付孔９内に着脱可能に取付固定される鬼瓦取付部５１と、該鬼瓦取付部５１に形成した連結片５３と前記取付片５０とを、ナット５５の締め込みにより高さ調節可能に連結する連結ボルト５２とによって構成した。【選択図】            図３
2006070562.tif 000002
【特許請求の範囲】
【請求項１】
瓦屋根の棟部構造内に棟方向に沿った棟芯材（６）を支持し、該棟芯材（６）により棟部（１）を支持させると共に、棟部（１）の端部の鬼瓦（３）を鬼瓦取付具（２）によって棟芯材（６）に取付ける構造において、前記鬼瓦取付具（２）を、棟芯材（６）に取付固定する取付片（５０）と、鬼瓦（３）の取付孔（９）内に着脱可能に取付固定される鬼瓦取付部（５１）と、該鬼瓦取付部（５１）に形成した連結片（５３）と前記取付片（５０）とを、ナット（５５）の締め込みにより高さ調節可能に連結する連結ボルト（５２）とによって構成した瓦屋根の棟用鬼瓦の取付構造。
【請求項２】
鬼瓦取付部（５１）の連結片（５３）に、連結ボルト（５２）を挿入する長孔状の取付孔（５３ａ）を棟方向に沿って形成した請求項１の瓦屋根の棟用鬼瓦の取付構造。
【請求項３】
鬼瓦（３）の取付孔（９）の直径より長く形成した鬼瓦取付部（５１）に、鬼瓦（３の外側から内側に向けて締め込む固定ネジ（５６），（５６）を、連結片（５３）の取付孔（５３ａ）から略等しい両側位置に設けた請求項１又は２の瓦屋根の棟用鬼瓦の取付構造。
【発明の詳細な説明】
【技術分野】
【０００１】
本発明は、瓦屋根の棟用鬼瓦の取付構造に関するものである。
【背景技術】
【０００２】
従来、瓦屋根の棟部構造内で屋根下地の頂部又は棟梁台座に取付固定されて鬼瓦を取付ける鬼瓦取付具は、特許文献１に示されるように既に公知である。
この鬼瓦取付具は上記棟梁台座等に取付固定されるＬ字状の取付片に形成した長孔に対し、鬼瓦の後壁を取付固定する鬼瓦取付部を連結ボルトによって上下に高さ調節可能に設ける構成となっている。
【特許文献１】特開平６−２８８０４２号公報
【発明の開示】
【発明が解決しようとする課題】
【０００３】
上記特許文献１で示される鬼瓦取付具は、鬼瓦取付部が鬼瓦の後壁のみを挟持又はボルト止めにより固定支持するので、地震や強風時の激しい揺れによって後壁に応力が集中し固定部の破損を生じ易い欠点がある。また鬼瓦取付部は横方向の連結ボルトによって取付片の長孔に締め付け固定するだけなので、鬼瓦を巴瓦に強く押し付けて固定することができないばかりか、鬼瓦が激しく揺れるとき鬼瓦取付部と取付片の締め付けにズレを生じ、鬼瓦の設置姿勢を不正にしたり固定を不安定にする等の問題がある。
【課題を解決するための手段】
【０００４】
上記課題を解決するための瓦屋根の棟用鬼瓦の取付構造は、第１に、瓦屋根の棟部構造内に棟方向に沿った棟芯材６を支持し、該棟芯材６により棟部１を支持させると共に、棟部１の端部の鬼瓦３を鬼瓦取付具２によって棟芯材６に取付ける構造において、前記鬼瓦取付具２を、棟芯材６に取付固定する取付片５０と、鬼瓦３の取付孔９内に着脱可能に取付固定される鬼瓦取付部５１と、該鬼瓦取付部５１に形成した連結片５３と前記取付片５０とを、ナット５５の締め込みにより高さ調節可能に連結する連結ボルト５２とによって構成したことを特徴としている。
【０００５】
第２に、鬼瓦取付部５１の連結片５３に、連結ボルト５２を挿入する長孔状の取付孔５３ａを棟方向に沿って形成しことを特徴としている。
【０００６】
第３に、鬼瓦３の取付孔９の直径より長く形成した鬼瓦取付部５１に、鬼瓦３の外側から内側に向けて締め込む固定ネジ５６，５６を、連結片５３の取付孔５３ａから略等しい両側位置に設けたことを特徴としている。
【発明の効果】
【０００７】
上記のように構成される瓦屋根の棟用鬼瓦の取付構造は、瓦屋根の棟部構造内の棟芯材に取付固定される取付片と、鬼瓦に取付固定される鬼瓦取付具の連結片を、ナットの締め込みにより高さ調節可能に連結する連結ボルトによって連結するので、ナットを締め込むだけで鬼瓦の固定高さ調節を簡単に行うことができ、また鬼瓦を巴瓦に押圧した状態で固定することができる。
【０００８】
また鬼瓦取付具は連結片に棟方向に沿う長孔状の取付孔を形成しているので、ナットを上方から締め込む際に、施工者が鬼瓦を前側に倒して行う鬼瓦設置姿勢の位置決め固定を簡単に行うことができる。
【０００９】
さらに鬼瓦取付部は鬼瓦の取付孔の直径より長く形成し、連結片から略等しい両側位置に鬼瓦の外側から内側に向けて締め込む左右の固定ネジを設けたことにより、締め込まれる左右の固定ネジと鬼瓦取付部の左右で、支持力を前壁と後壁とに分担させて鬼瓦の固定を行うことができる。
【発明を実施するための最良の形態】
【００１０】
本発明の一実施形態を図面に基づいて説明する。符号１は瓦屋根に棟用面戸支持構造によって構成される棟部であり、この棟部１には後述する鬼瓦取付具２によって鬼瓦３が取付固定される。図１，図２を参照し棟部１の構成について説明する。先ず桟瓦４が敷設された山形をなす屋根下地５の頂部には、棟部構造内に棟方向に沿って棟芯材６を受け止め支持する複数の棟補強具７が支持間隔を有して立設固定される。
【００１１】
次いで、複数の棟補強具７に対し所定長さの棟芯材６が順次嵌挿されて、水平方向の位置決め調整を行ったのち、両者をネジ８によって連結固定し棟の全長にわたって設置される。次いで、棟芯材６の上端面に後述する鬼瓦取付具２を取付固定したのち、該鬼瓦取付具２によって鬼瓦３をその裏側面に形成される取付孔９を利用し取付支持する。この場合鬼瓦３は在来の工法と同様に、棟端に先立って装着される巴瓦１０の上部に位置決め固定される。
【００１２】
次いで、棟芯材６の左右の側面に対し、桟瓦４との間で棟の面戸部を支持する左右に分割構成された面戸支持部材１１が取付固定される。このとき左右の面戸支持部材１１，１１は、セットされる防水芯材１２の下端部が桟瓦４の湾曲表面に沿って適切に接触するように、棟芯材６に対し後述する位置決め調節を行って横方向からネジ８ａを差し込み取付固定される。
【００１３】
これにより面戸支持部材１１に設けた防水芯材１２の下端部は、可撓性を有して桟瓦４の表面に沿った姿勢で接触し、こののち行われる面戸部施工を確実にすることができる。
即ち、図示例の面戸部施工は防水芯材１２に対し、外側から発泡性プラスチック材やシリコン材等の塗布部材からなる防水下地材１３を付着させる手段としている。
【００１４】
そして、図２で示すような陸棟の棟施工においては、桟瓦４毎に配設する面戸瓦１４を防水下地材１３の外側に位置させて、面戸支持部材１１の張出部１５に位置決め載置した状態で、ネジ又は釘等の固定具によって取付固定する。
他方、図３で示すように面戸瓦１４の設置が困難な隅棟の場合には、前記防水芯材１２に付着させた防水下地材１３の外側に、漆喰又はモルタル等の防水表装材１６をコテ塗り等の表装施工によって面戸部のカバー仕上げを行う。
【００１５】
次いで棟芯材６の上に沿って下段の熨斗瓦１７が敷設され、さらに上段の熨斗瓦１７と最上段の熨斗瓦（小熨斗瓦）１７が積み重ねられ、該小熨斗瓦１７の上に冠瓦１９をセットし固定することにより棟構造を完成することができる。
この実施形態で棟部１に用いる熨斗瓦１７は、図２，図３で示されるように左右の熨斗瓦部を上方に突曲した中央連結部で一体的に形成した瓦構造とし、下部の熨斗瓦１７を棟芯材６の上部に芯を合わせ載置し、この上に同形状の熨斗瓦１７が順次重ねられる。
【００１６】
このとき最上段（３段目）の熨斗瓦１７の中央上部に沿って板棒状の補助棟芯材２０を載置し、該補助棟芯材２０に上方から長いネジ２１を貫通し、各熨斗瓦１７に穿設されている通し孔２２，２２ａを通し棟芯材６にねじ込んで位置決め固定する。次いで冠瓦１９を補助棟芯材２０を覆うように一側から順次載置し、冠瓦１９に穿設されている通し孔２３に短いネジ２５を挿入し補助棟芯材２０を貫通させてねじ込み固定する。
【００１７】
尚、通し孔２２は熨斗瓦１７の長さ方向の中央部に穿設される長孔であり、通し孔２２ａは熨斗瓦１７の両端中央部に切欠形成される半長孔である。
以上のように各熨斗瓦１７と冠瓦１９の積み重ね固定を行ったのち、固定された冠瓦１９と鬼瓦３の継ぎ目に対し、モルタル或いは漆喰等のシール材を充填塗布することにより乾式の棟部１が完成される。
【００１８】
次に上記棟構造の棟芯材６及び棟補強具７並びに面戸支持部材１１等の構成について詳細に説明する。先ず棟補強具７は図１，図２，図６に示すように、山形状の傾斜をなす左右の屋根下地１ａに沿って取付固定される二股状の取付ベース２５の頂部にナット部２６を一体的に設け、該ナット部２６に棟芯材６を嵌挿し支持する支承板２７を設けたボルト２９をねじ込む構成となっている。支承板２７は上向きコ字状に形成され、その底壁２７ａの中央部にボルト２９が下向きに挿入され、且つ底壁２７ａの両側から略棟芯材６の高さ程度に立設した立壁２７ｂに、ネジ８を挿入せしめるネジ孔を複数穿設している。
【００１９】
この構成により棟補強具７は、棟芯材６を支承板２７で受け止めた状態でボルト２９の回動調節によって高さ調節を簡単に行うことができ、また側面からネジ８によって立壁２７ｂに棟芯材６を締着し固定支持することができる。また相隣る棟芯材６と棟芯材６の端部を共に支承板２７内に載置した状態で、立壁２７ｂ及びネジ８を介して締着することにより、両者の連結を簡単に行うことができる。
【００２０】
上記のように棟補強具７で支持される図示例の棟芯材６は、図５で示すように矩形状断面のバー形状で形成され、左右両側面の下部に数ミリ程度の突条３０を一体的に形成し、断面の中央部に補強用の芯材６ａを埋設した補強構造にしている。また棟芯材６はその上面中央部に中心位置を指示する筋溝状の中心線３１を穿設すると共に、下面中央部に支承板２７に設けるボルト２９の頭部を嵌合させるボルト溝３２を穿設している。
【００２１】
図２，図５で示すように陸棟用の面戸支持部材１１は、棟芯材６の左右両側面に対面する上下方向及び長手方向に平坦な取付面３３を有する取付部３５と、前記防水芯材１２を取付ける下部面３６を有する前記張出部１５とを、略直角状のアングル状の断面をなすように一体的に形成される。
【００２２】
上記張出部１５は、屋根下地１ａによる屋根方向に突出して屋根面傾斜に対向する下部面３６に、長手方向に沿って防水芯材１２を着脱可能に取付ける蟻溝状の取付溝３７を形成している。また張出部１５の屋根面側に突出した上向きの面は下り傾斜状の支持面３９とし、該支持面３９に断面Ｌ字状の面戸瓦１４の一部を載置し固定する構成とされる。
【００２３】
この実施形態に係わる棟芯材６及び各面戸支持部材１１並びに補助棟芯材２０等は、廃棄プラスチック材を溶解したものを押し出し成形又は加圧成形等によってリサイクル加工可能に製造したものを使用している。尚、この他従来のものと同様な素材を利用して製造されたものを組み合わせて使用することができる。また各素材は釘の打ち込み及びネジのねじ込み固定をしっかりと行うと共に、作業現場において手鋸による切断も簡単に行うことができる。上記面戸支持部材１１の形状は、ヘ字状断面のものに限ることなく、取付面３３と下部面３６を形成するものであればよい。
【００２４】
図示例の防水芯材１２及び防水下地材１３は、従来のものと同様な材質と施工手段によって防水性カバー部を形成するようにしている。即ち、防水芯材１２はスポンジ等の弾力性を有する吸水部材を櫛歯状に形成し、その基部側を面戸支持部材１１の取付溝３７に挿脱可能に挿入支持される取付帯４０に接着し、全体として可撓性を有する帯状体にしている。上記のように構成される防水芯材１２と取付帯４０は、任意箇所での切断が容易であり長さの調節を行うことができる。
【００２５】
これにより防水芯材１２は面戸支持部材１１と桟瓦４との間に形成される空間部を簀の子状に塞ぐことができ、この外側に吹きつけ或いは塗布等の手段によって施工される防水下地材１３の付着を確実にすることができる。また防水芯材１２は強風によって面戸部内に侵入した雨水を吸収保持するので、乾式棟構造の雨水防止性能を向上させる。
【００２６】
次に図３，図４に示す隅棟用の面戸支持部材１１について説明する。尚、前記陸棟用の面戸支持部材１１と同様な構成については説明を省略する。隅棟用の面戸支持部材１１は張出部１５の張り出し長さを陸棟用の面戸支持部材１１のものより大きくし、下部面３６の先端部側に取付溝３７を設け、支持面３９の先端部を階段状に凹入し支持面部４１を形成している。
【００２７】
上記構成による面戸支持部材１１は、取付溝３７に支持した防水芯材１２に防水下地材１３を塗り付け施工して乾燥硬化させたのち、該防水下地材１３の表面に防水表装材１６が塗り付け施工される。このとき防水表装材１６の一部は支持面部４１にも塗布されて、張出部１５の先端及び防水下地材１３の外側に、面戸瓦表面に代わる面戸表面が綺麗に形成され雨水の侵入を防止する。
【００２８】
また支持面３９に支持面部４１を凹入形成した張出部１５は、上方の熨斗瓦１７との間で防水表装材１６を厚く塗布して支持することができ、隅棟に丈夫な面戸面を防水表装材１６によって簡単に形成することができる。
尚、張出部１５上の防水表装材１６と熨斗瓦１７の間隙が大きい場合には、該間隙にモルタル等の枕支持材を充填することにより熨斗瓦１７を支持する。
【００２９】
以上のように施工される棟部１は、棟芯材６の両側に左右分割構成された面戸支持部材１１，１１を各別に取付ける棟用面戸支持構造としたことにより、棟芯材６に対し左右の面戸支持部材１１の取付け高さ及び取付け角度を簡単に調節設定することができる。
【００３０】
これにより傾斜面が必ずしも同じにならない左右の屋根下地１ａ，１ａ及び該屋根下地１ａ，１ａに敷設される桟瓦４による屋根面に対し、棟芯材６に取付ける左右の面戸支持部材１１の下部面３６を、各面戸支持部材１１に対応する直下の桟瓦４の表面に対し略等距離と成すように、位置決め調節されそれぞれ固定することができる。
【００３１】
従って、面戸支持部材１１の下部面３６に支持される防水芯材１２の下端を桟瓦４の表面から大きく離間させることなく適正位置に設けることができるから、防水下地材１３の面戸施工を簡単とし雨水の侵入防止も確実にする。また陸棟で使用する面戸瓦１６の施工も簡単で左右均等に設置することができる。
【００３２】
即ち、図５において左側の面戸支持部材１１は標準的な面戸巾位置での取付け状態を示しており、この場合には取付面３３はその下部が棟芯材６の突条３０に接当し、且つ取付面３３の上部が棟芯材６の側面上部に接当した状態で、その中途部をネジ８ａによって棟芯材６に締着固定される。これにより面戸支持部材１１は上下の２点で線接触するので、両者の表面粗さや凹凸に支障されることなく確実に固定することができる。
【００３３】
また右側の面戸支持部材１１は、その取付面３３と棟芯材６との間にスペーサ５０を介挿しネジ８ａによって三者を締着し、且つ左側の面戸支持部材１１よりやや低い位置に取付固定した例を示している。この場合にスペーサ５０は、その厚さを選択して突条３０の上方に介挿する。これにより面戸支持部材１１は取付面３３が突条３０を支点とし拡開状態となり、スペーサ５０によって下部面３６の角度を簡単に定めることができる。
【００３４】
従って、面戸支持部材１１は、棟芯材６の側面にスペーサ５０を設けた状態で、他方の面戸支持部材１１に対し上下の高さ及び角度調節を自在に行うことができる。
そして、左右の面戸支持部材１１は、左右で異なる屋根下地１ａ，１ａ或いは桟瓦４に対し、下部面３６に支持される防水芯材１２を対応する直下の各桟瓦４に位置決めすることができ、面戸部の防水性を高めることができる。
【００３５】
さらに陸棟用と隅棟用に共用可能な棟芯材６と左右対称形状で分割形成された左右の面戸支持部材１１は、プラスチック材又は木材パウダーと接着剤を混合した材料等を成形加工する際の成形型を、シンプルで小型化なものにすることができると共に、成形型の種類を少なくすることができ製造コストを下げることができる。またシンプルなバー形状で製作される棟芯材６及び各面戸支持部材１１は、運搬及び屋根上で行う切断等の作業を行い易くすることができる。
【００３６】
また上記棟用面戸支持構造の施工に使用される面戸支持部材１１は、棟芯材６の長さと同じく２０００ミリ程度の長さに製造されるが、これに限定されることなく面戸支持部材１１は図６で示されるように、例えば５０〜１００ミリ程度の短い長さに予め形成されたものを用い、この短い複数個の面戸支持部材１１を、適当な隣接間隔（支持間隔）を有して棟芯材６に取付固定して棟施工をすることもできる。この場合には面戸支持部材１１の材料を節約することができる他、棟構造の一層の軽量化を図ることができ、また隅棟用の棟構造に好適化することができる。
【００３７】
上記施工例について図６を参照し説明する。尚、前記施工例と同様な構成については説明を省略する。即ち、短く形成された複数の面戸支持部材１１は、棟芯材６に対して所定の隣接間隔を介して間欠的に取付け、所定の長さを有する縦長の防水芯材１２を棟方向に間欠的に支持させる。これにより防水芯材１２は棟芯材６の側面に対し適当な隣接間隔を有し、且つ面戸間隔を調節して取付固定された状態で、取付帯４０を各張出部１５の取付溝３７に挿入し張り渡し状態でセットされる。
【００３８】
次いで、防水芯材１２を各直下の桟瓦４に沿って面戸姿勢を整えて面戸部塞ぎをしたのち、該防水芯材１２に外側から防水下地材１３を塗布施工する。次いで防水下地材１３が硬化したのち、該防水下地材１３に対し防水表装材１６を塗布施工し面戸部のカバー施工を完了する。そして面戸部が形成された棟芯材６に、熨斗瓦１７及び冠瓦１９等を前記棟構造と同様に施工する。
【００３９】
以上のように防水芯材１２は短い複数の面戸支持部材１１によって間欠的に支持した状態で面戸部の施工を行うことができるから、棟構造を軽量化することができる。また張設された防水芯材１２は隣接する面戸支持部材１１と面戸支持部材１１の間で、上方に向けて取付帯４０を撓ませることができるから、例えば隅棟の複雑な形状となる桟瓦４に対しても簡単に沿わせることができる等の利点がある。
【００４０】
次に図１，図４を参照し鬼瓦取付具２及び鬼瓦３の取付けについて説明する。同図で示される鬼瓦取付具２は、前記棟芯材６の上端面に沿って取付固定される取付片５０と、取付孔９内に臨み鬼瓦３を着脱可能に取付固定する鬼瓦取付部５１と、該鬼瓦取付部５１と取付片５０を連結する連結部材としての連結ボルト５２とから構成される。上記鬼瓦取付部５１は板部材の中央部に外側に向けて屈曲させた連結片５３を形成し、該連結片５３に棟方向に沿う長孔状の取付孔５３ａを穿設している。
【００４１】
そして連結ボルト５２はストレートなネジ杆にしており、これにより取付片５０に穿設した取付孔に連結ボルト５２の基部を挿入した状態で、上下のナット５４，５４によって高さ調節をし締め付け固定することができる。また連結ボルト５２はその上方に連結片５３を取付孔５３ａを介して挿入した状態で、上下のナット５５，５５を高さ調節可能に締めて鬼瓦取付部５１を取付固定することができる。
【００４２】
上記鬼瓦取付部５１は、取付孔９内に横向きに挿入したとき、その両端が取付孔９の壁内に係脱可能に接当するように、取付孔９の直径より長く形成している。また鬼瓦取付部５１の板部材の両側に、中央部に位置する連結片５３の取付孔５３ａから略等しい位置に、外側から内側に向けてねじ込むことができる左右の固定ネジ５６，５６を設ける。
５７は鬼瓦３の中空内で前壁の突起部に穿設した支持孔であり、この支持孔５７は従来の鬼瓦取付け施工において使用される針金が挿入される。
【００４３】
以上のように構成される鬼瓦取付具２の取付け施工は、取付片５０に立設した連結ボルト５２に、予め連結片５３を挿入し鬼瓦取付部５１の取付け高さを概ね定めた状態で、該鬼瓦取付部５１を鬼瓦３の取付孔９内に挿入し略中心位置に置き、固定ネジ５６，５６をその先端部が鬼瓦３の前壁に軽く接当する程度に締め込むと、鬼瓦３に鬼瓦取付具２を仮連結することができる。
【００４４】
次いで鬼瓦３を巴瓦１０に載置した状態で、仮連結状態の鬼瓦取付具２の取付片５０を棟芯材６の一側端上に棟方向（前後方向）の位置決めをし、複数の取付ネジ５９によって固定する。そして鬼瓦３に対し固定ネジ５６，５６を増し締めし鬼瓦取付部５１を固定したのち、連結ボルト５２に螺挿した上側のナット５５を締め込む。
【００４５】
これにより連結片５３を介し鬼瓦取付部５１が固定状態のまま下限まで下げられ、連結ボルト５２を介して鬼瓦取付部５１と取付片５０は固く連結され、鬼瓦３を巴瓦１０に強く押接することができる。このとき鬼瓦３は締め込まれるナット５５によって連結片５３を介し、図７で示されるように垂直線Ｐに対し前側に向けて付勢される。そして付勢力と共に施工者は鬼瓦３の頭部を把持して前側に押動し、同図の垂直線Ｐから前傾角θを形成し鬼瓦設置姿勢を定める。
【００４６】
このとき連結片５３は略垂直姿勢の連結ボルト５２に対し前記取付孔５３ａを介して前側に移動し、鬼瓦３を垂直線Ｐから適正な鬼瓦設置姿勢の前傾角θを位置決めする。この状態で下側の緩められたナット５５を上方に締め込むと、連結片５３を上下のナット５５，５５で挟持固定し、鬼瓦３を鬼瓦設置姿勢に安定よく固定することができる。
これにより鬼瓦３は棟部１に鬼瓦設置姿勢で固定され、その頭部に降りかかる雨水を、後側に垂れ流すことなく前側に誘導し水切り作用を確実にする。
【００４７】
このように剛性を有し長い調節代を備える連結ボルト５２を、取付片５０と鬼瓦取付部５１の連結片５３に挿入して連結する鬼瓦取付具２は、多様な鬼瓦３の大きさ並びに棟芯材６の高さに応じて、ナット５５を上方から締め込むだけで高さ調節を簡単に行うことができる。また前側への付勢力を作用させガタを生じない張り状態で鬼瓦３を固定することができる。
【００４８】
さらに鬼瓦取付具２は連結片５３に長孔状の取付孔５３ａを形成しているので、ナット５５を上方から締め込む際に、施工者が鬼瓦３を前側に倒して行う鬼瓦設置姿勢の位置決め作業が簡単になると共に、鬼瓦設置姿勢の固定を安定させることができる。
以上のように構成される鬼瓦取付具２は、鬼瓦３を巴瓦１０に強く載置固定すると共に、鬼瓦３の棟方向及び上下方向への移動を防止するので、地震や強風等の揺れに対する棟構造の耐久性を高めることができる。
【００４９】
またストレートなネジ杆からなる連結ボルト５２で、鬼瓦取付部５１と取付片５０を連結するようにした鬼瓦取付具２は、それぞれが分解可能な小部品でシンプルな形状にすることができるから、屋根上での作業を行い易くすることができる。また取付片５０を折り曲げ加工を要しないフラット形状とし製造コストを低減することができる。
【００５０】
また連結ボルト５２は、市販の長いネジ杆を必要長さに切断して簡単に得られる利点があり、取付片５０側での高さ調節も可能にするので、棟高さの異なる各種の棟部１に対しても調節代が長くなり廉価に対応することができる。また大きさや取付孔９の位置が異なる多様な鬼瓦３に対しても、鬼瓦取付部５１及び連結ボルト５２によって、鬼瓦設置姿勢を適正な定めることができ、鬼瓦３の取付け作業を能率よく簡単に行うことができる。
【００５１】
尚、上記鬼瓦取付具２の使用態様は、取付片５０を棟芯材６側に固定して行うものを示したが、これに限定されることはない。即ち、取付片５０を前記補助棟心材２０側に固定し、該取付片５０に対し連結ボルト５２を下向きに挿入固定し、連結ボルト５２の下側に連結した鬼瓦取付部５１によって鬼瓦３を固定することもできる。  
【００５２】
また鬼瓦取付部５１は連結ボルト５２を介し取付片５０と高さ調節及び分解組み付け可能に構成されるので、棟芯材６に対し予め固定した取付片５０に対し、連結ボルト５２を介し、鬼瓦３に仮連結した鬼瓦取付部５１を取付けることもでき、鬼瓦３の取付固定を鬼瓦取付具２を組み立てながら行うことができる。
【００５３】
以上のように鬼瓦３の設置施工をすることができる鬼瓦取付具２は、鬼瓦取付部５１が鬼瓦３の取付孔９の直径より長く形成され、左右に鬼瓦３の外側から内側に向けて締め込む固定ネジ５６，５６を設けているので、固定ネジ５６，５６を鬼瓦３の裏側からドライバー等の工具によって締め込み固定作業を簡単に行うことができる。
【００５４】
固定ネジ５６，５６が締め込まれると、ネジの先端部が鬼瓦３の前壁に接当し、この反力によって鬼瓦取付部５１の左右端は鬼瓦３の後壁に強く押接される。これにより鬼瓦取付具２は、連結片５３を介し連結ボルト５２を中心とし、左右の固定ネジ５６，５６と鬼瓦取付部５１の左右で前後壁を略均等に押圧し、支持力を前壁と後壁とに分担して鬼瓦３の固定を行うことができる。
【００５５】
従って、上記のように固定支持部が構成される鬼瓦取付部５１は、取付孔９の径や後壁の厚さ、壁面内の凹凸等の表面粗さ等を一様に製造することが困難な多様な鬼瓦３に対し、適応性を有した固定を簡単な構成を以て行うことができる。また従来のもののように後壁の局部のみを固定しないから、地震等の衝撃的な揺れによる固定部の応力集中を防止して鬼瓦３の破損を抑制することができる。
【００５６】
尚、固定ネジ５６，５６は板部材の左右に複数のネジ孔を設けることもでき、この場合には鬼瓦３の取付孔９の大きさに対応させ、該取付孔９の内周面に近い側のネジ孔を選択することにより、取付孔９の大きさや形状が大きく異なる鬼瓦３であっても、鬼瓦取付部５１を支持力によって変形させることなく固定をすることができる。
【図面の簡単な説明】
【００５７】
【図１】本発明に係わる棟用面戸支持構造を陸棟に実施した要部の構成を示す側断面図である。
【図２】図１の正断面図である。
【図３】本発明に係わる棟用面戸支持構造を隅棟に実施した構成を示す正断面図である。
【図４】図３の棟用面戸支持構造に鬼瓦を取付固定する鬼瓦取付具の構成を示す斜視図である。
【図５】棟芯材の両側に面戸支持部材を取付固定する態様を示す正断面図である。
【図６】棟芯材に面戸支持部材を設ける別実施形態の構成を示す斜視図である。
【図７】鬼瓦取付具と鬼瓦の取付構造を示す側面図である。
【符号の説明】
【００５８】
１    棟部
１ａ  屋根下地
２    鬼瓦取付具
３    鬼瓦
４    桟瓦
６    棟芯材
７    棟補強具
９    取付孔
１０  巴瓦
１１  面戸支持部材
１７  熨斗瓦
５０  取付片
５１  鬼瓦取付部
５２  連結ボルト
５３  連結片
５３ａ  取付孔
５４，５５  ナット
５６  固定ネジ
【図１】
2006070562.tif 000003
【図２】
2006070562.tif 000004
【図３】
2006070562.tif 000005
【図４】
2006070562.tif 000006
【図５】
2006070562.tif 000007
【図６】
2006070562.tif 000008
【図７】
2006070562.tif 000009